(57)【要約】【課題】  撮影画像の品質を図ると共にレンズ移動機構、撮像装置及びレンズ保持枠の小型化を図る。【解決手段】  レンズ鏡筒１０の内部に配置されたズーム用又はフォーカス用の可動レンズ１７、１９と、可動レンズを保持し光軸方向に移動自在に支持されたレンズ保持枠２０と、レンズ保持枠の移動時に該レンズ保持枠を光軸方向へ案内するガイド軸２６、２６と、レンズ保持枠を光軸方向へ移動させる駆動手段２９、３０とを設け、レンズ保持枠に可動レンズを保持する保持部２１と該保持部の外周部に設けられ保持部に対して動作される可動部２２とを設け、レンズ保持枠の光軸方向における移動に伴って可動部が保持部に対して動作され光軸方向から見たレンズ保持枠の外形状が変化するようにした。【選択図】図２
2006145743.tif 000002
【特許請求の範囲】
【請求項１】
レンズ鏡筒の内部に配置されたズーム用又はフォーカス用の可動レンズと、
レンズ鏡筒の内部において上記可動レンズを保持すると共に該可動レンズの光軸方向に移動自在に支持されたレンズ保持枠と、
レンズ保持枠の移動時に該レンズ保持枠を可動レンズの光軸方向へ案内するガイド軸と、
レンズ保持枠を可動レンズの光軸方向へ移動させる駆動手段とを備え、
レンズ保持枠は可動レンズを保持する保持部と該保持部の外周部に設けられ保持部に対して動作される可動部とを有し、
レンズ保持枠の上記光軸方向における移動に伴って可動部が保持部に対して動作され光軸方向から見たレンズ保持枠の外形状が変化するようにした
ことを特徴とするレンズ移動機構。
【請求項２】
上記レンズ鏡筒に光軸方向において被写体から遠去かるに従って内側へ変位する変位部を形成し、
上記可動部を上記変位部の内面に押し付ける付勢手段を設け、
レンズ保持枠の上記光軸方向における移動時に、付勢手段によって可動部が上記変位部の内面に摺接し該内面の形状に倣うことにより可動部の光軸方向から見た外形状が変化するようにした
ことを特徴とする請求項１に記載のレンズ移動機構。
【請求項３】
上記レンズ鏡筒に光軸方向において被写体から遠去かるに従って内側へ変位する変位部を形成し、
上記可動部として、弾性変形して上記変位部の内面に押し付けられる弾性部材を用い、
レンズ保持枠の上記光軸方向における移動時に、付勢手段によって可動部が上記変位部の内面に摺接し弾性変形して該内面の形状に倣うことにより可動部の光軸方向から見た外形状が変化するようにした
ことを特徴とする請求項１に記載のレンズ移動機構。
【請求項４】
上記付勢手段によってレンズ鏡筒の内面に押し付けられた可動部に生じる反力により、レンズ保持枠が上記光軸方向における移動時にガイド軸に押し付けられるようにした
ことを特徴とする請求項２に記載のレンズ移動機構。
【請求項５】
レンズ鏡筒の内面に押し付けられた弾性部材に生じる反力により、レンズ保持枠が上記光軸方向における移動時にガイド軸に押し付けられるようにした
ことを特徴とする請求項３に記載のレンズ移動機構。
【請求項６】
上記レンズ保持枠のガイド軸に対する押付力が可動レンズの位置に応じて変化するようにした
ことを特徴とする請求項４に記載のレンズ移動機構。
【請求項７】
上記レンズ保持枠のガイド軸に対する押付力が可動レンズの位置に応じて変化するようにした
ことを特徴とする請求項５に記載のレンズ移動機構。
【請求項８】
上記可動レンズがズーム用である場合において、レンズ保持枠のガイド軸に対する押付力が被写体から遠ざかるに従って大きくなるようにした
ことを特徴とする請求項６に記載のレンズ移動機構。
【請求項９】
上記可動レンズがズーム用である場合において、レンズ保持枠のガイド軸に対する押付力が被写体から遠ざかるに従って大きくなるようにした
ことを特徴とする請求項７に記載のレンズ移動機構。
【請求項１０】
上記可動レンズがフォーカス用である場合において、レンズ保持枠のガイド軸に対する押付力が被写体に近付くに従って大きくなるようにした
ことを特徴とする請求項６に記載のレンズ移動機構。
【請求項１１】
上記可動レンズがフォーカス用である場合において、レンズ保持枠のガイド軸に対する押付力が被写体に近付くに従って大きくなるようにした
ことを特徴とする請求項７に記載のレンズ移動機構。
【請求項１２】
上記レンズ保持枠のガイド軸に対する位置に応じて駆動手段に対する印加電圧を変化させるようにした
ことを特徴とする請求項８に記載のレンズ移動機構。
【請求項１３】
上記レンズ保持枠のガイド軸に対する位置に応じて駆動手段に対する印加電圧を変化させるようにした
ことを特徴とする請求項９に記載のレンズ移動機構。
【請求項１４】
上記レンズ保持枠のガイド軸に対する位置に応じて駆動手段に対する印加電圧を変化させるようにした
ことを特徴とする請求項１０に記載のレンズ移動機構。
【請求項１５】
上記レンズ保持枠のガイド軸に対する位置に応じて駆動手段に対する印加電圧を変化させるようにした
ことを特徴とする請求項１１に記載のレンズ移動機構。
【請求項１６】
内部にズーム用又はフォーカス用の可動レンズが配置されたレンズ鏡筒と、
該レンズ鏡筒の内部において上記可動レンズを保持すると共に該可動レンズの光軸方向に移動自在に支持されたレンズ保持枠と、
レンズ保持枠の移動時に該レンズ保持枠を可動レンズの光軸方向へ案内するガイド軸と、
レンズ保持枠を可動レンズの光軸方向へ移動させる駆動手段とを備え、
レンズ保持枠は可動レンズを保持する保持部と該保持部の外周部に設けられ保持部に対して動作される可動部とを有し、
レンズ保持枠の上記光軸方向における移動に伴って可動部が保持部に対して動作され光軸方向から見たレンズ保持枠の外形状が変化するようにした
ことを特徴とする撮像装置。
【請求項１７】
レンズ鏡筒の内部に配置されズーム用又はフォーカス用の可動レンズを保持すると共に可動レンズの光軸方向に移動自在に支持されたレンズ保持枠であって、
可動レンズを保持する保持部と、
該保持部の外周部に設けられ保持部に対して動作される可動部とを備え、
上記光軸方向への移動に伴って可動部が保持部に対して動作され光軸方向から見た外形状が変化するようにした
ことを特徴とするレンズ保持枠。
【発明の詳細な説明】
【技術分野】
【０００１】
本発明はレンズ移動機構、撮像装置及びレンズ保持枠についての技術分野に関する。詳しくは、可動レンズを保持するレンズ保持枠に可動部を設けて、撮影画像の品質を図ると共にレンズ移動機構、撮像装置及びレンズ保持枠の小型化を図る技術分野に関する。
【背景技術】
【０００２】
ビデオカメラやスチルカメラ等の撮像装置には、レンズ鏡筒内にズーム用又はフォーカス用の可動レンズを有し、該可動レンズがレンズ保持枠に保持されているものがある（例えば、特許文献１参照）。
【０００３】
以下に、このような従来の撮像装置に設けられたカメラブロックの一例を示す（図６参照）。
【０００４】
撮像装置のカメラブロックａは略円筒状に形成されたレンズ鏡筒ｂを有し、該レンズ鏡筒ｂの内部に撮像光学系を構成する各種のレンズ又はレンズ群（以下には、単に「レンズ」とする。）が配置されている。レンズ鏡筒ｂは被写体側（前方側）に位置する第１のレンズ配置部ｃとその後側に位置するアイリス配置部ｄとその後側に位置する第２のレンズ配置部ｅとを有している。
【０００５】
レンズ鏡筒ｂの内部には、例えば、４群構成のレンズが配置されており、被写体側から順に、対物レンズｆ、変倍レンズｇ、レンズｈ、フォーカスレンズｉとされている。変倍レンズｇはズーム用の可動レンズとして機能し、フォーカスレンズｉはフォーカス用の可動レンズとして機能する。
【０００６】
対物レンズｆ及びレンズｈはレンズ鏡筒ｂに固定されている。変倍レンズｇはレンズ保持枠ｊに保持され、フォーカスレンズｉは図示しないレンズ保持枠に保持されている。
【０００７】
変倍レンズｇを保持するレンズ保持枠ｊは第１のレンズ配置部ｃにおいて光軸方向へ移動可能とされ、フォーカスレンズｉを保持するレンズ保持枠は第２のレンズ配置部ｅにおいて光軸方向へ移動可能とされている。変倍レンズｇを保持するレンズ保持枠ｊが前方側へ移動されると広角となり、レンズ保持枠ｊが後方へ移動されると望遠となる。
【０００８】
変倍レンズｇを保持するレンズ保持枠ｊ及びフォーカスレンズｉを保持するレンズ保持枠は、それぞれ、例えば、スッテピングモーターとリードスクリューを有する図示しないレンズ駆動機構によって光軸方向へ移動される。
【０００９】
レンズ保持枠ｊは変倍レンズｇを保持する保持部ｋと該保持部ｋの外周部から外方へ張り出された遮光部ｌとが一体に設けられて成る。
【００１０】
レンズ鏡筒ｂの後端部には撮像手段としてＣＣＤ（Charge Coupled Device）等の撮像素子ｍが配置されている。
【００１１】
レンズ鏡筒ｂのアイリス配置部ｃには一対のアイリス羽根を有するアイリス機構ｎが配置され、該アイリス機構ｎが駆動モーターｏによって動作される。
【００１２】
以上のように構成されたカメラブロックａにおいて、撮像時には、被写体側から対物レンズｆを介してレンズ鏡筒ｂの内部に光Ｐが入射される。レンズ保持枠ｊが望遠位置にある場合には集光された光Ｐの全体が変倍レンズｇに入射されるが、レンズ保持枠ｊが望遠位置よりも広角位置側にある場合には光Ｐの一部のみが変倍レンズｇに入射される。
【００１３】
このとき変倍レンズｇに入射されなかった光Ｐはレンズ保持枠ｊの遮光部ｌによって遮られ、レンズｈ側への不要光の入射が防止されている。このような不要光の入射を防止することにより、撮影画像の品質の向上を図ることができる。
【００１４】
【特許文献１】特開２０００−１４７３５０号公報
【発明の開示】
【発明が解決しようとする課題】
【００１５】
ところで、レンズ鏡筒ｂの内部に入射される光Ｐは集光されるため、レンズ保持枠ｊが広角位置から望遠位置へ移動するに従って遮光部ｌによって遮る必要のある光Ｐの量は少なくなり、特に、望遠位置においては光Ｐの全体が変倍レンズｇに入射されるため遮光部ｌは必要のないものとなってしまう。
【００１６】
ところが、従来の撮像装置ａにあっては、レンズ保持枠ｊに保持部ｋから外方へ張り出された遮光部ｌが一体に設けられているため、レンズ鏡筒ｂの第１のレンズ配置部ｃが遮光部ｌの移動軌跡に対応して光軸と平行に延びる形状とされ、その分、レンズ鏡筒ｂの外形が大きく、撮像装置が大型になるという問題がある。
【００１７】
そこで、本発明は、上記した問題点を克服し、撮影画像の品質を図ると共にレンズ移動機構、撮像装置及びレンズ保持枠の小型化を図ることを課題とする。
【課題を解決するための手段】
【００１８】
本発明レンズ移動機構は、上記した課題を解決するために、レンズ鏡筒の内部に配置されたズーム用又はフォーカス用の可動レンズと、レンズ鏡筒の内部において上記可動レンズを保持すると共に該可動レンズの光軸方向に移動自在に支持されたレンズ保持枠と、レンズ保持枠の移動時に該レンズ保持枠を可動レンズの光軸方向へ案内するガイド軸と、レンズ保持枠を可動レンズの光軸方向へ移動させる駆動手段とを設け、レンズ保持枠は可動レンズを保持する保持部と該保持部の外周部に設けられ保持部に対して動作される可動部とを有し、レンズ保持枠の上記光軸方向における移動に伴って可動部が保持部に対して動作され光軸方向から見たレンズ保持枠の外形状が変化するようにしたものである。
【００１９】
本発明撮像装置は、上記した課題を解決するために、内部にズーム用又はフォーカス用の可動レンズが配置されたレンズ鏡筒と、該レンズ鏡筒の内部において上記可動レンズを保持すると共に該可動レンズの光軸方向に移動自在に支持されたレンズ保持枠と、レンズ保持枠の移動時に該レンズ保持枠を可動レンズの光軸方向へ案内するガイド軸と、レンズ保持枠を可動レンズの光軸方向へ移動させる駆動手段とを設け、レンズ保持枠は可動レンズを保持する保持部と該保持部の外周部に設けられ保持部に対して動作される可動部とを有し、レンズ保持枠の上記光軸方向における移動に伴って可動部が保持部に対して動作され光軸方向から見たレンズ保持枠の外形状が変化するようにしたものである。
【００２０】
本発明レンズ保持枠は、上記した課題を解決するために、可動レンズを保持する保持部と、該保持部の外周部に設けられ保持部に対して動作される可動部とを設け、光軸方向への移動に伴って可動部が保持部に対して動作され光軸方向から見た外形状が変化するようにしたものである。
【００２１】
従って、本発明レンズ移動機構、撮像装置及びレンズ保持枠にあっては、光軸方向への移動に伴って光軸方向から見た外形状が変化するレンズ保持枠の大きさに合わせてレンズ鏡筒の外形の設計が可能となる。
【発明の効果】
【００２２】
本発明レンズ移動機構は、レンズ鏡筒の内部に配置されたズーム用又はフォーカス用の可動レンズと、レンズ鏡筒の内部において上記可動レンズを保持すると共に該可動レンズの光軸方向に移動自在に支持されたレンズ保持枠と、レンズ保持枠の移動時に該レンズ保持枠を可動レンズの光軸方向へ案内するガイド軸と、レンズ保持枠を可動レンズの光軸方向へ移動させる駆動手段とを備え、レンズ保持枠は可動レンズを保持する保持部と該保持部の外周部に設けられ保持部に対して動作される可動部とを有し、レンズ保持枠の上記光軸方向における移動に伴って可動部が保持部に対して動作され光軸方向から見たレンズ保持枠の外形状が変化するようにしたことを特徴とする。
【００２３】
従って、レンズ保持枠の光軸方向における位置に応じてレンズ保持枠の大きさを変化させることができ、不要光の撮像素子側への入射防止による撮影画像の品質を図ることができると共にレンズ移動機構の小型化を図ることができる。
【００２４】
請求項２に記載した発明にあっては、上記レンズ鏡筒に光軸方向において被写体から遠去かるに従って内側へ変位する変位部を形成し、上記可動部を上記変位部の内面に押し付ける付勢手段を設け、レンズ保持枠の上記光軸方向における移動時に、付勢手段によって可動部が上記変位部の内面に摺接し該内面の形状に倣うことにより可動部の光軸方向から見た外形状が変化するようにしたので、簡単な構成により確実に可動部を動作させることができる。
【００２５】
請求項３に記載した発明にあっては、上記レンズ鏡筒に光軸方向において被写体から遠去かるに従って内側へ変位する変位部を形成し、上記可動部として、弾性変形して上記変位部の内面に押し付けられる弾性部材を用い、レンズ保持枠の上記光軸方向における移動時に、付勢手段によって可動部が上記変位部の内面に摺接し弾性変形して該内面の形状に倣うことにより可動部の光軸方向から見た外形状が変化するようにしたので、部品点数の削減を図りつつ、レンズ移動機構の小型化及び撮影画像の品質の向上を図ることができる。
【００２６】
請求項４に記載した発明にあっては、上記付勢手段によってレンズ鏡筒の内面に押し付けられた可動部に生じる反力により、レンズ保持枠が上記光軸方向における移動時にガイド軸に押し付けられるようにしたので、レンズ保持枠のガイド軸に対する光軸方向に直交する面内における移動が防止され、結像面上の像が微少に揺れる所謂像揺れ減少の発生が抑制され、撮影画像の品質の向上を図ることができる。
【００２７】
請求項５に記載した発明にあっては、レンズ鏡筒の内面に押し付けられた弾性部材に生じる反力により、レンズ保持枠が上記光軸方向における移動時にガイド軸に押し付けられるようにしたので、レンズ保持枠のガイド軸に対する光軸方向に直交する面内における移動が防止され、結像面上の像が微少に揺れる所謂像揺れ減少の発生が抑制され、撮影画像の品質の向上を図ることができる。
【００２８】
請求項６及び請求項７に記載した発明にあっては、上記レンズ保持枠のガイド軸に対する押付力が可動レンズの位置に応じて変化するようにしたので、押付力の小さい場合に駆動手段に対する印加電圧を低く抑えることができ、撮影画像の品質の向上を図りつつ消費電力の低減を図ることができる。
【００２９】
請求項８及び請求項９に記載した発明にあっては、上記可動レンズがズーム用である場合において、レンズ保持枠のガイド軸に対する押付力が被写体から遠ざかるに従って大きくなるようにしたので、像揺れ現象を効率的に防止することが可能となり、撮影画像の品質の向上を効率的に図ることができる。
【００３０】
請求項１０及び請求項１１に記載した発明にあっては、上記可動レンズがフォーカス用である場合において、レンズ保持枠のガイド軸に対する押付力が被写体に近付くに従って大きくなるようにしたので、像揺れ現象を効率的に防止することが可能となり、撮影画像の品質の向上を効率的に図ることができる。
【００３１】
請求項１２乃至請求項１５に記載した発明にあっては、上記レンズ保持枠のガイド軸に対する位置に応じて駆動手段に対する印加電圧を変化させるようにしたので、レンズ保持枠の移動時における電圧制御の効率化を図ることができる。
【００３２】
本発明撮像装置は、内部にズーム用又はフォーカス用の可動レンズが配置されたレンズ鏡筒と、該レンズ鏡筒の内部において上記可動レンズを保持すると共に該可動レンズの光軸方向に移動自在に支持されたレンズ保持枠と、レンズ保持枠の移動時に該レンズ保持枠を可動レンズの光軸方向へ案内するガイド軸と、レンズ保持枠を可動レンズの光軸方向へ移動させる駆動手段とを備え、レンズ保持枠は可動レンズを保持する保持部と該保持部の外周部に設けられ保持部に対して動作される可動部とを有し、レンズ保持枠の上記光軸方向における移動に伴って可動部が保持部に対して動作され光軸方向から見たレンズ保持枠の外形状が変化するようにしたことを特徴とする。
【００３３】
従って、レンズ保持枠の光軸方向における位置に応じてレンズ保持枠の大きさを変化させることができ、不要光の撮像素子側への入射防止による撮影画像の品質を図ることができると共に撮像装置の小型化を図ることができる。
【００３４】
本発明レンズ保持枠は、レンズ鏡筒の内部に配置されズーム用又はフォーカス用の可動レンズを保持すると共に可動レンズの光軸方向に移動自在に支持されたレンズ保持枠であって、可動レンズを保持する保持部と、該保持部の外周部に設けられ保持部に対して動作される可動部とを備え、上記光軸方向への移動に伴って可動部が保持部に対して動作され光軸方向から見た外形状が変化するようにしたことを特徴とする。
【００３５】
従って、レンズ保持枠の光軸方向における位置に応じてレンズ保持枠の大きさを変化させることができ、不要光の撮像素子側への入射防止による撮影画像の品質を図ることができると共にレンズ保持枠の小型化を図ることができる。
【発明を実施するための最良の形態】
【００３６】
以下に、本発明レンズ移動機構、撮像装置及びレンズ保持枠を実施するための最良の形態を添付図面に従って説明する。以下に示す最良の形態は、本発明撮像装置をスチルカメラに適用し、本発明レンズ移動機構をこのスチルカメラに用いられたレンズ移動機構に適用し、本発明レンズ保持枠をこのスチルカメラに用いられたレンズ保持枠に適用したものである。尚、本発明の適用範囲はスチルカメラ、スチルカメラに用いられたレンズ移動機構又はスチルカメラに用いられたレンズ保持枠に限られることはなく、本発明は、ビデオカメラの他、動画撮影又は静止画撮影の機能を有する各種の撮像装置又はこれらの撮像装置に用いられた各種のレンズ移動機構及びレンズ保持枠に適用することができる。
【００３７】
撮像装置１（デジタルスチルカメラ）は、図１に示すように、撮像機能を有するカメラブロック２と、撮影された画像信号のアナログ−デジタル変換等の信号処理を行うカメラ信号処理部３と、画像信号の記録再生処理を行う画像処理部４と、撮影された画像等を表示する表示部５と、記録媒体１００に対する記録／再生を行う記録再生部６と、撮像装置１の全体を制御する中央演算処理装置７と、ユーザーによる操作入力を行うための入力操作部８と、カメラブロック２の各種のレンズの駆動を制御するレンズ駆動制御部９とを備えている。
【００３８】
カメラブロック２は、レンズ鏡筒１０、該レンズ鏡筒１０内に配置された各レンズ等の撮像光学系及びＣＣＤ（Charge Coupled Device）等の撮像素子１１等により構成される。
【００３９】
カメラ信号処理部３は、撮像素子１１からの出力信号（アナログ信号）のデジタル信号への変換、ノイズ除去、画質補正、輝度信号や色差信号への変換等の信号処理を行う。
【００４０】
画像処理部４は、所定の画像データーフォーマットに基づく画像信号の圧縮符号化、伸長復号化処理、解像度等のデーター仕様の変換処理等を行う。
【００４１】
記録媒体１００は、例えば、着脱可能な半導体メモリーである。
【００４２】
表示部５は、例えば、液晶ディスプレイである。
【００４３】
記録再生部６は、画像処理部４によって符号化された画像データーの記録媒体１００への書込や記録媒体１００に記録された画像データーの読出を行う。
【００４４】
中央演算処理装置７は、撮像装置１に設けられた各回路ブロックを制御する制御処理部であり、入力操作部８からの指示入力信号等に基づいて各回路ブロックを制御する。
【００４５】
入力操作部８は、例えば、シャッター操作を行うためのシャッターレリーズボタンや、動作モードを選択するための選択スイッチ等により構成され、ユーザーによる操作に応じた指示入力信号を中央演算処理装置７に対して出力する。
【００４６】
レンズ駆動制御部９は、中央演算処理装置７からの制御信号に基づいて、レンズ鏡筒１０の内部に配置された各レンズ、例えば、ズーム用の後述する変倍レンズやフォーカス用の後述するフォーカスレンズを駆動する図示しないモーター等を制御する。
【００４７】
以下に、撮像装置１の動作を簡単に説明する。
【００４８】
撮影の待機状態においては、中央演算処理装置７による制御の下で、カメラブロック２において撮影された画像信号が、カメラ信号処理部３を介して表示部５に出力され、カメラスルー画像として表示される。
【００４９】
入力操作部８からのズーミングのための指示入力信号が入力されると、中央演算処理装置７がレンズ駆動制御部９に制御信号を出力し、レンズ駆動制御部９の制御に基づいて、レンズ鏡筒１０に配置された後述する変倍レンズが移動される。
【００５０】
フォーカシングは、例えば、シャッターレリーズボタンが半押しされた場合、又は、記録のために全押しされた場合等に、中央演算処理装置７からの制御信号に基づいてレンズ駆動制御部９がレンズ鏡筒１０内の後述するフォーカスレンズを移動させることにより行われる。
【００５１】
入力操作部８からの指示入力信号によりカメラブロック２の図示しないシャッターが動作されると、画像信号がカメラ信号処理部３から画像処理部４に出力されて圧縮符号化処理され、所定のデーターフォーマットのデジタルデーターに変換される。変換されたデーターは記録再生部６に出力され、記録媒体１００に書き込まれる。
【００５２】
記録媒体１００に記録された画像データーを再生する場合は、入力操作部８による操作に応じて、記録再生部６により記録媒体１００から所定の画像データーが読み出され、画像処理部４で伸張復号化処理された後、再生画像信号が表示部５に出力される。これにより再生画像が表示される。
【００５３】
次に、カメラブロック２の構成例について説明する。
【００５４】
カメラブロック２のレンズ鏡筒１０の内部には、撮像光学系を構成する各種のレンズ又はレンズ群（以下には、単に「レンズ」とする。）が配置されている（図２参照）。
【００５５】
レンズ鏡筒１０は被写体側（前方側）に位置する第１のレンズ配置部１２とその後側に位置するアイリス配置部１３とその後側に位置する第２のレンズ配置部１４とを有している。第１のレンズ配置部１２の一部、例えば、上端側の部分は、変位部１２ａとその後端に連続する水平部１２ｂとから成る。変位部１２ａはレンズ鏡筒１０内に入射される光Ｐの外周の光線角度に沿って後方へ行くに従って内側へ変位するように傾斜されている。水平部１２ｂは光Ｐの光軸ＯＬ方向に延びるように形成されている。
【００５６】
レンズ鏡筒１０には、上記変位部１２ａと水平部１２ｂとによって凹部１５が形成されている。
【００５７】
レンズ鏡筒１０の内部には、例えば、４群構成のレンズが配置されており、被写体側から順に、対物レンズ１６、変倍レンズ１７、レンズ１８、フォーカスレンズ１９とされている。変倍レンズ１７はズーム用の可動レンズとして機能し、フォーカスレンズ１９はフォーカス用の可動レンズとして機能する。
【００５８】
対物レンズ１６及びレンズ１８はレンズ鏡筒１０に固定されている。変倍レンズ１７はレンズ保持枠２０に保持され、フォーカスレンズ１９は図示しないレンズ保持枠に保持されている。
【００５９】
変倍レンズ１７を保持するレンズ保持枠２０は第１のレンズ配置部１２において光軸方向へ移動可能とされ、フォーカスレンズ１９を保持するレンズ保持枠は第２のレンズ配置部１４において光軸方向へ移動可能とされている。変倍レンズ１７を保持するレンズ保持枠２０が前方側へ移動されると広角となり、レンズ保持枠２０が後方へ移動されると望遠となる。
【００６０】
レンズ保持枠２０は、変倍レンズ１７を保持する保持部２１と、該保持部２１に対して動作される可動部２２と、保持部２１に一体に設けられたスリーブ部２３とを有し、保持部２１の外周部には係合凹部２１ａが形成されている（図３参照）。
【００６１】
可動部２２はヒンジ軸２４によって保持部２１に回動自在に支持され、保持部２１に対して前方へ折り曲げられる折曲位置と保持部２１に対して折り曲げられない初期位置との間で回動可能とされている。
【００６２】
ヒンジ軸２４には付勢手段として、例えば、捩じりコイルバネ２５が支持されている。可動部２２は捩じりコイルバネ２５によってヒンジ軸２４の軸回り方向における一方の方向（図２に示すＲ１方向）へ付勢され、可動部２２の先端部は、常時、第１のレンズ配置部１２の内面１２ｃに弾接されている。
【００６３】
保持部２１の係合凹部２１ａ及びスリーブ部２３は、それぞれレンズ鏡筒１０内において平行な状態で配置されたガイド軸２６、２６に摺動自在に係合されている。
【００６４】
レンズ保持枠２０にはナット部材２７が取り付けられている。
【００６５】
レンズ鏡筒１０の内部にはブラケット２８が固定されている。ブラケット２８は前後に長い被固定部２８ａと該被固定部２８ａの前後両端部からそれぞれ上方へ突出された支持面部２８ｂ、２８ｃとから成り、被固定部２８ａがレンズ鏡筒１０に固定されている。
【００６６】
支持面部２８ｂ、２８ｃ間にはリードスクリュー２９が回転自在に支持され、該リードスクリュー２９は支持面部２８ｃの後方に配置されたステッピングモーター３０によって軸回り方向へ回転される。リードスクリュー２９にはレンズ保持枠２０に取り付けられたナット部材２７が螺合されている。リードスクリュー２９及びステッピングモーター３０はレンズ保持枠２０を光軸方向へ移動させる駆動手段として機能し、ステッピングモーター３０の回転に伴ってリードスクリュー２９が回転されると、ナット部材２７がステッピングモーター３０の回転方向に応じた方向へ送られ、レンズ保持枠２０がガイド軸２６、２６に案内されて前後へ移動され変倍レンズ１７が光軸方向へ移動される。
【００６７】
レンズ鏡筒１０のアイリス配置部１３には図示しない一対のアイリス羽根を有するアイリス機構３１が配置され、該アイリス機構３１が駆動モーター３２によって動作される。
【００６８】
フォーカスレンズ１９は変倍レンズ１７と同様に光軸方向へ移動されるが、フォーカスレンズ１９を移動させるための機構は変倍レンズ１７を移動させる機構と同様の機構であるため、説明は省略する。
【００６９】
以上のように構成された撮像装置１において、撮像時には、フォーカシング制御によりフォーカスレンズ１９が光軸方向へ移動されると共にズーム制御が行われるときにはステッピングモーター３０が回転されて変倍レンズ１７が光軸方向へ移動される。このとき被写体側から対物レンズ１６を介してレンズ鏡筒１０の内部に光Ｐが入射されるが、可動部２２が保持部２１に対して回動しながら第１のレンズ配置部１２の内面１２ｃに対して摺動され、レンズ保持枠２０はガイド軸２６、２６に押し付けられた状態で前後方向へ移動される。
【００７０】
変倍レンズ１７の光軸方向への移動時には、上記のように、可動部２２が第１のレンズ配置部１２の内面１２ｃに対して摺動されるが、レンズ保持枠２０が変位部１２ａを後方へ行くに従って捩じりコイルバネ２５による付勢力が大きくなる。従って、変位部１２ａを後方へ行くに従ってレンズ保持枠２０のガイド軸２６、２６に対する押付力が大きくなる。
【００７１】
このとき、駆動手段として機能するステッピングモーター３０に対する印加電圧は、レンズ保持枠２０の円滑な動作を確保するために、レンズ保持枠２０の光軸方向における位置に応じて変化させるようにしている。即ち、可動部２２が変位部１２ａに摺接している場合にはレンズ保持枠２０がレンズ１８に近付くに従って印加電圧が高くなるようにされ、可動部２２が水平部１２ｂに摺接している場合には可動部２２が変位部１２ａに摺接している場合の最大の印加電圧と同様の高さの印加電圧となるようにされている。
【００７２】
レンズ保持枠２０が望遠位置にある場合には集光された光Ｐの全体が変倍レンズ１７に入射されるが、レンズ保持枠２０が望遠位置よりも広角位置側にある場合には光Ｐの一部のみが変倍レンズ１７に入射される。従って、レンズ保持枠２０に入射されない光は変倍レンズ１７の外側に入射される不要光となるが、この不要光はレンズ保持枠２０の保持部２１の外周部及び可動部２２によって遮られ、レンズ１８側への入射が防止される。
【００７３】
以上に記載した通り、撮像装置１にあっては、レンズ保持枠２０に保持部２１に対して動作される可動部２２を設け、光軸方向における移動に伴って不要光を遮る可動部２２が保持部２１に対して動作され光軸方向から見たレンズ保持枠２０の外形状が変化するようにされているため、レンズ保持枠２０の光軸方向における位置に応じてレンズ保持枠２０の大きさを変化させることができ、不要光のレンズ１８側への入射防止による撮影画像の品質を図ることができると共に撮像装置１の小型化を図ることができる。
【００７４】
特に、レンズ鏡筒１０の第１のレンズ配置部１２の周囲の位置には、設計上、ストロボ、マイク、オートフォーカス補助光発光装置等の各部品が配置されることが多いが、小型化により凹部１５が形成されるため、該凹部１５にこれらの各部品を配置することが可能となり、各部品の配置の自由度が大きくなる。
【００７５】
また、付勢手段として機能する捩じりコイルバネ２５によって可動部２２を変位部１２ａに押し付け該変位部１２ａの形状に倣うことにより可動部２２の光軸方向から見た外形状が変化されるようにしているため、簡単な構成により確実に可動部２２を動作させることができる。
【００７６】
さらに、捩じりコイルバネ２５によってレンズ鏡筒１０の内面１２ｃに押し付けられた可動部２２に生じる反力により、レンズ保持枠２０の光軸方向における移動時に該レンズ保持枠２０がガイド軸２６、２６に押し付けられるため、レンズ保持枠２０のガイド軸２６、２６に対する光軸方向に直交する面内における移動が防止され、結像面上の像が微少に揺れる所謂像揺れ減少の発生が抑制され、撮影画像の品質の向上を図ることができる。
【００７７】
さらにまた、撮像装置１にあっては、レンズ保持枠２０のガイド軸２６、２６に対する押付力が可動レンズ２２の位置に応じて変化するため、押付力の小さい場合に駆動手段として機能するステッピングモーター３０に対する印加電圧を低く抑えることができ、撮影画像の品質の向上を図りつつ消費電力の低減を図ることができる。
【００７８】
加えて、可動部２２がレンズ鏡筒１０の変位部１２ｂの内面の形状に倣うことにより捩じりコイルバネ２５によるレンズ保持枠２０に対する付勢力が変化するため、簡単な構成により確実にレンズ保持枠２０のガイド軸２６、２６に対する押付力を変化させることができる。
【００７９】
一般に、上記した像揺れ現象は、変倍レンズ１７の位置が望遠側に近付くほど発生量が大きくなることが知られている。従って、撮像装置１のように、変倍レンズ１７が望遠側に近付くほど捩じりコイルバネ２５による付勢力が大きくなるような構成とすることにより、像揺れ現象を効率的に防止することが可能となり、撮影画像の品質の向上を効率的に図ることができる。
【００８０】
また、レンズ保持枠を付勢してガイド軸に押し付ける上記した構成は、変倍レンズ１７を保持するレンズ保持枠２０のみならずフォーカスレンズ１９を保持するレンズ保持枠にも適用することが可能である。このフォーカスの場合には、一般に、上記した像揺れ現象はフォーカスレンズ１９の位置が被写体に近付くほど発生量が大きくなることが知られている。従って、フォーカスレンズ１９を保持するレンズ保持枠に対して付勢力を付与する構成を適用した場合には、被写体に近付くほど付勢力が大きくなるような構成とすることにより、像揺れ現象を効率的に防止することが可能となり、撮影画像の品質の向上を効率的に図ることができる。
【００８１】
撮像装置１にあっては、レンズ保持枠２０のガイド軸２６、２６に対する位置に応じてステッピングモーター３０に対する印加電圧を変化させるようにしているため、レンズ保持枠２０の移動時における電圧制御の効率化を図ることができる。
【００８２】
レンズ保持枠２０のガイド軸２６、２６に対する押付力の大きさに応じて印加電圧を大きくすることにより、消費電力の低減を図ることができる。
【００８３】
以下に、可動部の変形例について説明する（図４及び図５参照）。
【００８４】
第１の変形例に係る可動部２２Ａは、付勢手段として機能する圧縮コイルバネ３３によって保持部２１と連結され、該保持部２１に対して上下方向へ移動可能とされている（図４参照）。可動部２２Ａは圧縮コイルバネ３３の付勢力によってレンズ鏡筒１０の内面１２ｃに常時弾接され、レンズ保持枠２０の光軸方向への移動時に内面１２ｃと摺動される。
【００８５】
第２の変形例に係る可動部２２Ｂは、例えば、板状の弾性部材であり、保持部２１に一端部が取り付けられている（図５参照）。可動部２２Ｂは、その弾性によってレンズ鏡筒１０の内面１２ｃに常時弾接され、レンズ保持枠２０の光軸方向への移動時に内面１２ｃと摺動される。
【００８６】
このように可動部２２Ｂとして弾性部材を用いることにより、部品点数の削減を図りつつ、撮像装置１の小型化及び撮影画像の品質の向上を図ることができる。
【００８７】
また、弾性部材である可動部２２Ｂが弾性変形して変位部１２ｂの形状に倣うことによりレンズ保持枠２０に対する付勢力が変化するため、部品点数の削減を図りつつ、撮影画像の品質の向上及び消費電力の低減を図ることができる。
【００８８】
尚、上記に示した上下前後の方向は説明の便宜上のものであり、これらの方向に限定されることはない。
【００８９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９０】
【図１】図２乃至図５と共に本発明の最良の形態を示すものであり、本図は、撮像装置の基本構成を示す概念図である。
【図２】カメラブロックの拡大断面図である。
【図３】要部の拡大斜視図である。
【図４】第１の変形例に係る可動部が設けられたカメラブロックの拡大断面図である。
【図５】第２の変形例に係る可動部が設けられたカメラブロックの拡大断面図である。
【図６】従来の撮像装置におけるカメラブロックの拡大断面図である。
【符号の説明】
【００９１】
１…撮像装置、１０…レンズ鏡筒、１２ａ…変位部、１２ｃ…内面、１７…変倍レンズ（可動レンズ）、１９…フォーカスレンズ（可動レンズ）、２０…レンズ保持枠、２１…保持部、２２…可動部、２５…捩じりコイルバネ（付勢手段）、２６…ガイド軸、２９…リードスクリュー（駆動手段）、３０…ステッピングモーター（駆動手段）、２２Ａ…可動部、３３…圧縮コイルバネ、２２Ｂ…可動部
【図１】
2006145743.tif 000003
【図２】
2006145743.tif 000004
【図３】
2006145743.tif 000005
【図４】
2006145743.tif 000006
【図５】
2006145743.tif 000007
【図６】
2006145743.tif 000008